(57)【要約】【課題】円滑なコネクタカバーの開閉動作を確保することが可能な防塵構造を提供する。【解決手段】一面が開口した一対のケース１、２であって、開口面を囲む周縁部１１、２１を備えた枠状の外壁部１２、２２を各ケースが有し、各外壁部の周縁部同士が互いに面するように接合されている一対のケース１、２と、一対のケース１、２に収容されているコネクタと、ケース１の外壁部１２の内外を連通させ、コネクタを露出させる開口部と、開口部を開閉する本体部と、本体部を支持し、本体部が開口部を開閉するのに連動してケース１の外壁部１２の内側を外壁部１２に沿って移動するアーム部３２と、を有するコネクタカバーと、各周縁部のうちアーム部３２の移動範囲に対応する箇所で互いに嵌り合っている凹部２２および凸部１７と、を有する。【選択図】図５
2013232475.tif 000002
【特許請求の範囲】
【請求項１】
一面が開口した一対のケースであって、該開口面を囲む周縁部を備えた枠状の外壁部を各ケースが有し、各外壁部の前記周縁部同士が互いに面するように接合されている一対のケースと、
前記一対のケースに収容されているコネクタと、
一方のケースの前記外壁部の内外を連通させ、前記コネクタを露出させる開口部と、
前記開口部を開閉する本体部と、前記本体部を支持し、前記本体部が前記開口部を開閉するのに連動して前記一方のケースの前記外壁部の内側を該外壁部に沿って移動するアーム部と、を有するコネクタカバーと、
前記各周縁部のうち前記アーム部の移動範囲に対応する箇所で互いに嵌り合っている凹部および凸部と、を有する防塵構造。
【請求項２】
前記コネクタカバーの前記本体部が、前記開口部の内縁部に密着して前記開口部を閉じるパッキング部材を有し、
前記凹部および前記凸部が、前記パッキング部材と前記開口部との密着箇所よりも前記外壁部の外側に形成されている、請求項１に記載の防塵構造。
【請求項３】
複数の前記凹部および複数の前記凸部が前記開口部に垂直な法線方向に沿って形成されている、請求項１または２に記載の防塵構造。
【請求項４】
前記複数の凹部と前記複数の凸部が、前記各周縁部に前記法線方向に沿って交互に形成されている、請求項３に記載の防塵構造。
【請求項５】
前記複数の凸部の中で前記外壁部の前記内側に最も近い凸部の高さが最も高い、請求項３または４に記載の防塵構造。
【請求項６】
請求項１から５のいずれか１項に記載の防塵構造を備えた電子機器。
【請求項７】
前記電子機器が携帯端末である、請求項６に記載の電子機器。
【請求項８】
一面が開口し、該開口面を囲む周縁部を備えた枠状の外壁部を有する一対のケースの一方に前記外壁部の内外を連通させる開口部を形成する工程と、
前記本体部を支持し、前記本体部が前記開口部を開閉するのに連動して前記一方のケースの前記外壁部の内側を該外壁部に沿って移動するアーム部と、を有するコネクタカバーを前記一方のケースに取り付ける工程と、
前記開口部から露出するようにコネクタを前記一対のケースに収容し、前記周縁部同士が互いに面するように前記一対のケースを接合する工程と、
前記一対のケースを接合する前に、前記各周縁部のうち前記アーム部の移動範囲に対応する箇所に互いに嵌り合う凹部および凸部を形成する工程と、を有する電子機器の製造方法。
【発明の詳細な説明】
【技術分野】
【０００１】
本発明は、異物がコネクタに付着するのを防ぐコネクタカバーを備えた防塵構造、電子機器、および電子機器の製造方法に関する。
【背景技術】
【０００２】
携帯電話機に代表される電子機器には、一般的に、充電用のコネクタ、メモリーカード用のコネクタなどが内蔵されている。これらのコネクタが常に露出していると、砂、ゴミなどの異物がコネクタに付着し、コネクタが不具合を起こすおそれがある。そこで、異物がコネクタに付着するのを防ぐコネクタカバーを備えた電子機器が提案されている（特許文献１参照）。
【０００３】
図９は、本発明に関連する電子機器の斜視図である。図９に示す電子機器１００では、一対のケース１０１、１０２が互いに接合されている。ケース１０１、１０２には、コネクタ（不図示）が収容されている。ケース１０１には、このコネクタを露出させるための開口部１１１が形成されている。開口部１１１は、コネクタカバーの本体部１０３によって開閉可能とされている。本体部１０３が開口部１１１を閉じることによって、異物がコネクタに付着するのを防いでいる。図１０は、図９に示す切断線Ａ−Ａに沿った断面図である。図１１は、図１０に示す切断線Ｂ−Ｂに沿った断面図である。コネクタカバーの本体部１０３は、図１１に示すように、アーム部１０４に支持されている。アーム部１０４は、図１１に示すように、ケース１０１の内側に配置されている。
【０００４】
本体部１０３が開口部１１１からケース１０１の外側に回転移動すると、図１２に示すように、開口部１１１が開放する。これにより電子機器１００の充電や、メモリーカードの着脱が可能となる。
【先行技術文献】
【特許文献】
【０００５】
【特許文献１】特開２００９−５１１３号公報
【発明の概要】
【発明が解決しようとする課題】
【０００６】
上述した電子機器１００では、図１０に示すように、ケース１０１とケース１０２の隙間から異物１０５が侵入する場合がある。図１０に示すように、ケース１０１とケース１０２では、互いに面している部分が平坦になっている。そのため、電子機器１００では、異物１０５が、ケース１０１の内側に比較的到達しやすい。ケース１０１の内側には、上述したようにコネクタカバーのアーム部１０４が配置されている。アーム部１０４は、図１２に示すように、本体部１０３が開口部１１１を開閉するのに連動して移動する。そのため、多くの異物１０５がケース１０１の内側に到達すると、アーム部１０４の移動、すなわちコネクタカバーの開閉動作が阻害されるおそれがある。
【０００７】
そこで、本発明は、円滑なコネクタカバーの開閉動作を確保することが可能な防塵構造、電子機器、および電子機器の製造方法を提供することを目的とする。
【課題を解決するための手段】
【０００８】
上記目的を達成するために本発明の防塵構造は、一面が開口した一対のケースであって、該開口面を囲む周縁部を備えた枠状の外壁部を各ケースが有し、各外壁部の前記周縁部同士が互いに面するように接合されている一対のケースと、前記一対のケースに収容されているコネクタと、一方のケースの前記外壁部の内外を連通させ、前記コネクタを露出させる開口部と、前記開口部を開閉する本体部と、前記本体部を支持し、前記本体部が前記開口部を開閉するのに連動して前記一方のケースの前記外壁部の内側を該外壁部に沿って移動するアーム部と、を有するコネクタカバーと、前記各周縁部のうち前記アーム部の移動範囲に対応する箇所で互いに嵌り合っている凹部および凸部と、を有する。
【０００９】
上記目的を達成するために本発明の電子機器は、上記防塵構造を備えている。
【００１０】
上記目的を達成するために本発明の電子機器の製造方法は、一面が開口し、該開口面を囲む周縁部を備えた枠状の外壁部を有する一対のケースの一方に前記外壁部の内外を連通させる開口部を形成する工程と、前記本体部を支持し、前記本体部が前記開口部を開閉するのに連動して前記一方のケースの前記外壁部の内側を該外壁部に沿って移動するアーム部と、を有するコネクタカバーを前記一方のケースに取り付ける工程と、前記開口部から露出するようにコネクタを前記一対のケースに収容し、前記周縁部同士が互いに面するように前記一対のケースを接合する工程と、前記一対のケースを接合する前に、前記各周縁部のうち前記アーム部の移動範囲に対応する箇所に互いに嵌り合う凹部および凸部を形成する工程と、を有する。
【発明の効果】
【００１１】
本発明によれば、円滑なコネクタカバーの開閉動作を確保することが可能となる。
【図面の簡単な説明】
【００１２】
【図１】本発明の防塵構造を備えた電子機器の一実施形態を示す斜視図である。
【図２】図１に示す電子機器を分解した状態で示す斜視図である。
【図３】図１に示す電子機器を分解した状態で示す側面図である。
【図４】図１に示す切断線Ａ−Ａに沿った断面図である。
【図５】図４に記載の各部材を分解した状態で示す断面図である。
【図６】図１に示す切断線Ｂ−Ｂに沿った断面である。
【図７】図６に示す領域Ｃの拡大図である。
【図８】本発明の防塵構造を備えた電子機器の他の実施形態を示す断面図である。
【図９】本発明に関連する電子機器の斜視図である。
【図１０】図９に示す切断線Ａ−Ａに沿った断面図である。
【図１１】図１０に示す切断線Ｂ−Ｂに沿った断面図である。
【図１２】図９に示す電子機器において、コネクタカバーが開放した状態を示す断面図である。
【発明を実施するための形態】
【００１３】
図１は、本発明の防塵構造を備えた電子機器の一実施形態を示す斜視図である。本実施形態の電子機器１０は、携帯電話機やスマートフォンに代表される携帯端末とする。本発明の電子機器には、上述した携帯端末だけでなく、例えば、ゲーム機、タブレットＰＣ（Personal Computer）、ノートＰＣ、ＰＤＡ（Personal Data Assistants）にも適用可能である。
【００１４】
図１に示す電子機器１０では、一対のケース１、２が接合されている。図２は、図１に示す電子機器１０を分解した状態で示す斜視図である。図３は、図１に示す電子機器１０を分解した状態で示す側面図である。
【００１５】
図２に示すように、ケース１の一面は開口している。その開口面は、枠状の外壁部１２の周縁部１１に囲まれている。ケース２も、ケース１と同様に、一面が開口している。その開口面は、枠状の外壁部２２の周縁部２１に囲まれている。ケース１、２は、周縁部１１と周縁部２１とが互いに面するように接合されている。
【００１６】
ケース１、２にはコネクタ４が収容されている。コネクタ４は、例えば、充電用のコネクタ、あるいは、メモリーカード用のコネクタである。ケース１の外壁部１２の内側には、内壁部１３が形成されている。コネクタ４は、外壁部１２に形成された開口部１４と、内壁部１３に形成された開口部１５とを通じてケース１の外部に露出される。コネクタ４は、開口部１５を介さずに開口部１４から直接露出する形態であってもよい。開口部１４は、コネクタカバー３（図２、３参照）によって開閉される。コネクタカバー３は、開口部１４を開閉する本体部３１と、本体部３１がケース１から脱落しないように本体部３１を支持するアーム部３２とを有する。アーム部３２は、外壁部１２と内壁部１３との間に形成された空間１６に配置されている。
【００１７】
図４は、図１に示す切断線Ａ−Ａに沿った断面図である。図５は、図４に記載の各部材を分解した状態で示す断面図である。図５に示すように、ケース１の周縁部１１のうち、空間１６に隣接する箇所には凸部１７が形成されている。一方、ケース２の周縁部２１には、凹部２２が形成されている。凸部１７と凹部２２は、図４に示すように互いに嵌り合っている。
【００１８】
図６は、図１に示す切断線Ｂ−Ｂに沿った断面である。図７は、図６に示す領域Ｃの拡大図である。図６および図７に示すように、本実施形態では、コネクタカバー３の本体部３１は、アーム部３２に接続されたパッキング部材３１ａと、パッキング部材３１ａを被覆している外装部材３１ｂと、を有する。パッキング部材３１ａは、例えば、ゴムなどの開口部１４の内縁部に密着可能な材料で構成されている。一方、外装部材３１ｂは、例えば、プラスチック樹脂などの材料で構成されている。パッキング部材３１ａが開口部１４の内縁部に密着することによって、開口部１４は閉じられている。これにより、異物がコネクタ４に付着するのを防いでいる。本体部３１が開口部１４からケース１の外側に回転移動すると、開口部１４は開放する。このとき、アーム部３２は、本体部３１の移動に連動して空間１６内を外壁部１２に沿って移動する。
【００１９】
本実施形態の電子機器１０では、周縁部１１、２１のうち、アーム部３２の移動範囲に対応する箇所に互いに嵌り合っている凸部１７および凹部２２が形成されている。そのため、周縁部１１と周縁部２１との隙間から異物が侵入しても、その異物は、アーム部３２が配置されている外壁部１２の内側（空間１６）に到達しにくくなる。そのため、アーム３２の円滑な移動、すなわちコネクタカバー３の円滑な開閉動作を確保することが可能となる。
【００２０】
さらに、本実施形態では、図７に示すように、凸部１７の外面１７ａが、パッキング部材３１ａと開口部１４との密着箇所Ｄ（図７の点線で囲まれた箇所）よりも外壁部１２の外側に形成されている。外面１７ａが、密着箇所Ｄよりも外壁部１２の内側に形成されている場合、パッキング部材３１ａが開口部１４の内縁部に密着していても、ケース１とケース２の隙間Ｅ（図７参照）と、開口部１４とが互いに連通してしまう。この場合、隙間Ｅから侵入した異物が開口部１４を通じて空間１６に入り込むおそれがある。しかし、本実施形態のように凸部１７の外面１７ａが密着箇所Ｄよりも外壁部１２の外側に形成されていると、パッキング部材３１が開口部１４の内縁部に密着しているときに隙間Ｅと開口部１４との連通が遮断される。そのため、開口部１４から空間１６への異物の侵入経路を断つことが可能となる。
【００２１】
本実施形態の電子機器１０は、ケース１に凸部１７が形成され、ケース２に凹部２２が形成された構造であったが、本発明は、この構造に限定されない。例えば、図８（ａ）に示すように、ケース１に凹部２２が形成され、ケース２に凸部１７が形成された構造であってもよい。この構造であっても、周縁部１１と周縁部２１との隙間から侵入した異物を、空間１６に到達させにくくすることが可能である。
【００２２】
本実施形態の電子機器１０は、一つの凸部１７と一つの凹部２２が形成された構造であったが、本発明は、この構造に限定されない。例えば、図８（ｂ）、（ｃ）に示すように、複数の凸部１７と複数の凹部２２が開口部１４に垂直な法線方向Ｘに沿って形成された構造であってもよい。このような構造では、凸部１７と凹部２２が増えることによって異物がより一層空間１６に到達しにくくなる。そのため、防塵効果が向上する。図８（ｂ）は、周縁部１１、２１において凸部１７と凹部２２が法線方向Ｘに交互に形成された構造を示している。一方、図８（ｃ）は、外壁部１２の内側に最も近い凸部１７の高さが最も高い構造を示している。
【符号の説明】
【００２３】
１、２  ケース
３  コネクタカバー
４  コネクタ
１０  電子機器
１１  周縁部
１２  外壁部
１３  内壁部
１４、１５  開口部
１６  空間
１７  凸部
１７ａ  外面
２１  周縁部
２２  凹部
３１  本体部
３２  アーム部
１００  電子機器
１０１、１０２  ケース
１０３  本体部
１０４  アーム部
１０５  異物
１１１  開口部
【図１】
2013232475.tif 000003
【図２】
2013232475.tif 000004
【図３】
2013232475.tif 000005
【図４】
2013232475.tif 000006
【図５】
2013232475.tif 000007
【図６】
2013232475.tif 000008
【図７】
2013232475.tif 000009
【図８】
2013232475.tif 000010
【図９】
2013232475.tif 000011
【図１０】
2013232475.tif 000012
【図１１】
2013232475.tif 000013
【図１２】
2013232475.tif 000014